(57)【要約】【課題】各負荷の運転状態に応じて、蓄電池から各負荷へ供給される電力を適切に割り当てることができ、各負荷を効率的に運転することができる蓄電池装置を提供する。【解決手段】実施の形態による蓄電池装置５０は、蓄電池５１と、第１負荷１の運転状態情報を受信する第１情報受信手段５２と、第２負荷２０の運転状態情報を受信する第２情報受信手段５３と、を備えている。第１負荷１の運転状態情報と、第２負荷２０の運転状態情報と、に基づいて、蓄電池５１から出力される電力は、電力割当回路５７によって、第１負荷１および第２負荷５２に割り当てられる。蓄電池５１から第１負荷１に供給される電力は、第１出力手段５８によって、電力割当手段５７により割り当てられた電力値に調整される。蓄電池５１から第２負荷２０に供給される電力は、第２出力手段５９によって、電力割当手段５７により割り当てられた電力値に調整される。【選択図】図４
2016135083.tif 000002
【特許請求の範囲】
【請求項１】
停電時または電力逼迫時に、建物に設置された第１負荷としてのエレベータ装置と、前記建物に設置された前記エレベータ装置とは異なる第２の負荷と、に電力を供給する蓄電池装置であって、
蓄えられた電力を前記第１負荷および前記第２負荷に供給可能な蓄電池と、
前記第１負荷の運転状態情報を受信する第１情報受信手段と、
前記第２負荷の運転状態情報を受信する第２情報受信手段と、
前記第１情報受信手段により受信された前記第１負荷の運転状態情報と、前記第２情報受信手段により受信された前記第２負荷の運転状態情報と、に基づいて、前記蓄電池から出力される電力を、前記第１負荷および前記第２負荷に割り当てる電力割当手段と、
前記蓄電池から前記第１負荷に供給される電力を、前記電力割当手段により割り当てられた電力値に調整する第１出力手段と、
前記蓄電池から前記第２負荷に供給される電力を、前記電力割当手段により割り当てられた電力値に調整する第２出力手段と、を備えたことを特徴とする蓄電池装置。
【請求項２】
前記第１情報受信手段により受信される前記第１負荷の運転状態情報は、前記エレベータ装置の使用電力情報を含み、
前記第１情報受信手段により受信された前記第１負荷の前記使用電力情報から得られる最大使用電力が前記蓄電池の最大出力電力以下である場合、前記電力割当手段は、前記第１負荷の最大使用電力に相当する電力を前記第１負荷に割り当てることを特徴とする請求項１に記載の蓄電池装置。
【請求項３】
前記第１情報受信手段が受信する前記第１負荷の前記運転状態情報は、前記エレベータ装置が回生運転を行っているという情報を更に含み、
前記電力割当手段により前記第１負荷の最大使用電力に相当する電力が前記第１負荷に割り当て可能な場合であって、前記第１情報受信手段が、前記エレベータ装置が回生運転を行っているという情報を受信した場合、前記電力割当手段は、前記第１負荷に割り当てる電力を、前記第１負荷の最大使用電力より少なくすることを特徴とする請求項２に記載の蓄電池装置。
【請求項４】
前記第１情報受信手段が受信する前記第１負荷の前記運転状態情報は、前記エレベータ装置に行先階登録が行われていないという情報と、呼び登録が行われていないという情報とを更に含み、
前記電力割当手段により前記第１負荷の最大使用電力に相当する電力が前記第１負荷に割り当て可能な場合であって、前記第１情報受信手段が、前記エレベータ装置に行先階登録が行われていないという情報および呼び登録が行われていないという情報を受信した場合、前記電力割当手段は、前記第１負荷に割り当てる電力を、前記第１負荷の最大使用電力より少なくすることを特徴とする請求項２に記載の蓄電池装置。
【請求項５】
前記第２情報受信手段により受信される前記第２負荷の運転状態情報は、前記第２負荷の使用電力情報を含み、
前記電力割当手段により前記第１負荷の最大使用電力に相当する電力が前記第１負荷に割り当て可能な場合であって、前記第２情報受信手段により受信された前記第２負荷の前記使用電力情報から得られる最大使用電力が、前記蓄電池の最大出力電力から前記第１負荷に割り当てられた電力を差し引いた残りの出力電力以下である場合、前記電力割当手段は、前記第２負荷の最大使用電力に相当する電力を前記第２負荷に割り当てることを特徴とする請求項２乃至４のいずれか一項に記載の蓄電池装置。  
【請求項６】
前記第２負荷は、前記建物に設置された、前記建物内の水道水の圧力を高めるための加圧ポンプ装置であり、
前記第２情報受信手段が受信する前記第２負荷の前記運転状態情報は、前記水道水の圧力が所定の圧力値より大きいという情報を更に含み、
前記電力割当手段により前記第２負荷の前記使用電力情報から得られる最大使用電力に相当する電力を前記第２負荷に割り当て可能な場合であって、前記水道水の圧力が所定の圧力値より大きいという情報を受信した場合、前記電力割当手段は、前記第２負荷に割り当てる電力を、前記第２負荷の最大使用電力より少なくすることを特徴とする請求項５に記載の蓄電池装置。
【請求項７】
前記第２負荷は、前記建物に設置された、前記建物内の水道水を加圧する加圧ポンプ装置であり、
前記第２情報受信手段が受信する前記第２負荷の前記運転状態情報は、前記加圧ポンプ装置が起動状態を過ぎて安定運転状態にあるという情報を更に含み、
前記電力割当手段により前記第２負荷の前記使用電力情報から得られる最大使用電力が前記第２負荷に割り当て可能な場合であって、前記第２負荷が安定運転状態にあるという情報を受信した場合、前記電力割当手段は、前記第２負荷に割り当てる電力を、前記第２負荷の最大使用電力より少なくすることを特徴とする請求項５に記載の蓄電池装置。
【請求項８】
前記電力割当手段により割り当てられた前記第１負荷の電力値情報を前記第１負荷に伝達する第１伝達手段と、
前記電力割当手段により割り当てられた前記第２負荷の電力値情報を前記第２負荷に伝達する第２伝達手段と、を更に備えたことを特徴とする請求項１乃至７のいずれか一項に記載の蓄電池装置。
【発明の詳細な説明】
【技術分野】
【０００１】
本発明の実施形態は、蓄電池装置に関する。
【背景技術】
【０００２】
従来より、電力会社などの商用電源や、建物に設置された太陽光発電システムなどから供給される電力を蓄えて、停電時や電力逼迫時に、特定の負荷に電力を供給する蓄電池装置が知られている。一般的に、蓄電池装置は、電力を蓄える蓄電池を備えており、蓄電池の容量は、対象となる負荷の最大定格電力を考慮して選定される。例えば、蓄電池から電力が供給される負荷にエレベータ装置が含まれている場合には、エレベータ装置が消費する最大電力に合わせた出力容量を有する蓄電池が選定される。すなわち、乗りかごの最大負荷時に乗りかごを定格速度で上昇させる場合にエレベータ装置が最大電力を消費するため、この最大電力が蓄電池の選定時に考慮される。
【０００３】
しかしながら、蓄電池に蓄えられた電力を用いた運転の対象となる負荷の最大消費電力が大きい場合や、対象となる負荷の数が多い場合には、蓄電池の大容量化が望まれ、費用が増大し得る。また、蓄電池が大型化するため、設置場所の確保が困難になり、さらには、消防設備などの付帯設備も大型化し得るという問題も生じる。
【０００４】
そこで、蓄電池に蓄えられた電力を用いて運転を行う場合（蓄電池運転時）に、エレベータの乗りかごの運転速度を定格速度より遅い速度に設定し、蓄電池容量の低減を図る場合がある。また、同様の目的で、建物の共用部等の照明に電力を供給する電力系統を分割して、蓄電池運転時に部分的な消灯を行う場合もある。
【０００５】
しかしながら、蓄電池の容量を低減すると、負荷の運転継続時間が短くなり、長時間停電への対応が困難になり得る。また、蓄電池の容量を低減するために、蓄電池運転の対象となる負荷の数を制限することも考えられるが、この場合には、建物内での日常の生活または業務に支障が生じることが考えられる。
【０００６】
ところで、種々の負荷に供給される電力を調整する方法は既に知られている。例えば、優先順位が上位の第１の負荷の動作状態に基づいて、第２の負荷の電力消費を開始するか否かを決定する方法や、第１の負荷の負荷出力と、第２の負荷の負荷出力の総和が所定の目標値に一致するように負荷出力をそれぞれ調整する方法が知られている。
【先行技術文献】
【特許文献】
【０００７】
【特許文献１】特許第４８０７８３６号公報
【特許文献２】特許第５５２５３４５号公報
【発明の概要】
【発明が解決しようとする課題】
【０００８】
蓄電池運転の対象となる負荷は、ユーザの意図に応じて設定されるが、建物にエレベータ装置が設置されている場合には、エレベータ装置を蓄電池運転の対象とする必要性が高まる傾向にある。とりわけ、高層ビルや高層マンションでは、その必要性はより一層高まる。
【０００９】
エレベータ装置の乗りかごは、巻上機によって昇降するようになっており、乗りかごが昇降する際には、巻上機によって比較的多くの電力が消費される。しかしながら、乗りかごが連続的に昇降し続ける可能性は低い。このことにより、巻上機は、長い時間にわたって連続的に動作し続けるというよりはむしろ、その動作は断続的であり、各々の動作時間は短くなる傾向にある。また、巻上機は、力行運転時には比較的多くの電力を消費するが、回生運転時には、力行運転時よりも消費電力が少なくなる。このため、運転状態に応じて、巻上機の消費電力は変化する。
【００１０】
また、他の負荷として、建物内の水道水の圧力を高めるための加圧ポンプを含む加圧ポンプ装置が挙げられる。加圧ポンプは、建物内で同時に多くの水道水が使用されて、水道水の圧力が所定の圧力値より小さくなった場合に動作して、低下した水道水の圧力を上昇させる。この際に、加圧ポンプは電力を消費する。このことにより、上述した巻上機と同様に加圧ポンプも連続的に動作し続けるのではなく、その動作が断続的となることが一般的である。また、加圧ポンプは、起動時には比較的多くの電力を消費するが、そのような起動状態は長く続かないことが多い。起動状態を過ぎて安定運転状態に移行すると、起動時よりも消費電力は少なくなる。このように、加圧ポンプの消費電力は、その運転状態に応じて変化する。
【００１１】
このように、蓄電池運転時に、各々の負荷で最大定格電力に近い電力が同時に消費される可能性は低い。このことにより、蓄電池運転時に、各負荷の運転状態によっては、蓄電池から出力可能な電力が余る傾向にある。すなわち、蓄電池に蓄えられた電力を、種々の負荷で効率良く使うことが困難になっている。
【００１２】
本発明は、このような点を考慮してなされたものであり、各負荷の運転状態に応じて、蓄電池から各負荷へ供給される電力を適切に割り当てることができ、各負荷を効率的に運転することができる蓄電池装置を提供することを目的とする。
【課題を解決するための手段】
【００１３】
実施の形態による蓄電池装置は、停電時または電力逼迫時に、建物に設置された第１負荷としてのエレベータ装置と、建物に設置されたエレベータ装置とは異なる第２の負荷と、に電力を供給する蓄電池装置である。この蓄電池装置は、蓄えられた電力を第１負荷および第２負荷に供給可能な蓄電池と、第１負荷の運転状態情報を受信する第１情報受信手段と、第２負荷の運転状態情報を受信する第２情報受信手段と、を備えている。第１情報受信手段により受信された第１負荷の運転状態情報と、第２情報受信手段により受信された第２負荷の運転状態情報と、に基づいて、電力割当手段によって、蓄電池から出力される電力が、第１負荷および第２負荷に割り当てられる。蓄電池から第１負荷に供給される電力は、第１出力手段によって、電力割当手段により割り当てられた電力値に調整される。蓄電池から第２負荷に供給される電力は、第２出力手段によって、電力割当手段により割り当てられた電力値に調整される。
【図面の簡単な説明】
【００１４】
【図１】図１は、本発明の実施の形態における、エレベータ装置が設置された建物の構成を示す概略図である。
【図２】図２は、図１のエレベータ装置の乗りかご内を示す図である。
【図３】図３は、図１のエレベータ装置の乗場を示す図である。
【図４】図４は、図１の蓄電池装置の構成を示す図である。
【発明を実施するための形態】
【００１５】
以下、図面を参照して、本発明の実施の形態について説明する。
【００１６】
図１に示すように、ビルやマンションなどの建物１００には、電力を消費する種々の負荷が設置されている。図１には、そのような建物１００に設置された負荷として、エレベータ装置１、建物１００内の水道水の圧力を高めるための加圧ポンプ装置２０、および建物１００の共用部等に設けられた照明装置３０が示されている。
【００１７】
エレベータ装置１は、昇降路２内を昇降自在な乗りかご３と、乗りかご３に主ロープ４を介して連結された釣合錘５と、主ロープ４を介して乗りかご３及び釣合錘５を昇降させる巻上機６（昇降駆動部）と、を備えている。主ロープ４は、巻上機６に連結されたトラクションシーブ７に巻き掛けられている。このような構成において、巻上機６がトラクションシーブ７を回転駆動することにより、主ロープ４が巻き上げられ、乗りかご３及び釣合錘５がそれぞれ昇降し、乗りかご３が、建物１００に設けられた複数の乗場８のうちの任意の乗場８に着床して、利用者が乗降可能になっている。
【００１８】
巻上機６は、エレベータ制御装置９によって制御されて動作する。また、図２に示すように、乗りかご３内には、乗りかご３に乗車した利用者が行先階（目的階）を登録するための行先階ボタン１０（行先階登録装置）や、乗りかご３のかごドア１２の開閉指示を登録するための開閉ボタン１１（開閉登録装置）が設けられている。エレベータ制御装置９は、行先階ボタン１０によって登録された行先階に基づいて乗りかご３の運転を制御し、開閉ボタン１１によって登録された開閉指示に基づいて乗りかご３のかごドア１２および乗場ドア１３を開閉する。各乗場８には、図３に示すように、かご呼びボタン１４（かご呼び登録装置）が設けられており、エレベータ制御装置９は、かご呼びボタン１４によって登録されたかご呼びに基づいて、乗りかご３の運転を制御する。
【００１９】
図１に示すように、加圧ポンプ装置２０は、建物１００内の水道水の圧力を高めるための加圧ポンプ２１と、建物１００内の水道水の圧力を検出する圧力検出器２２と、圧力検出器２２により検出された水道水の圧力に基づいて加圧ポンプ２１を制御するポンプ制御装置２３と、を備えている。ポンプ制御装置２３は、水道水の圧力が所定の圧力値より小さくなった場合に加圧ポンプ２１を動作させる。このことにより、水道水の圧力が高められるようになっている。
【００２０】
照明装置３０は、照明３１と、建物１００内の照度を検出する照度検出器３２と、照度検出器３２により検出された照度に基づいて照明３１を制御する照明制御装置３３と、を備えている。照明制御装置３３は、建物１００内の照度が所定の照度より低くなった場合に照明３１を動作させ、照明３１が点灯するようになっている。
【００２１】
本実施の形態における蓄電池装置５０は、停電時または電力逼迫時に、第１負荷としてのエレベータ装置１、第１負荷とは異なる第２負荷としての加圧ポンプ装置２０、第１負荷および第２負荷とはそれぞれ異なる第３負荷としての照明装置３０に、電力を供給するように構成されている。
【００２２】
図４に示すように、蓄電池装置５０は、電力が蓄えられ、蓄えられた電力をエレベータ装置１、加圧ポンプ装置２０および照明装置３０に供給可能な蓄電池５１と、エレベータ装置１の運転状態情報を受信する第１情報受信回路５２（第１情報受信手段）と、加圧ポンプ装置２０の運転状態情報を受信する第２情報受信回路５３（第２情報受信手段）と、照明装置３０の運転状態情報を受信する第３情報受信回路５４（第３情報受信手段）と、を備えている。
【００２３】
蓄電池５１は、電力会社等の商用電源５５、または建物１００に設置された太陽光発電システム等から充電回路５６を介して電力が充電されるようになっている。蓄電池５１から出力可能な最大出力電力は、蓄電池５１自体の通電容量等によって定められている。なお、蓄電池５１に蓄えられた蓄電量（電力量）は、後述する電力割当回路５７によって求められるようになっている。より具体的には、蓄電池５１に充電された電力が充電回路５６から電力割当回路５７に情報として送信され、蓄電池５１から出力された総電力が、後述する第１出力回路５８、第２出力回路５９および第３出力回路６０から電力割当回路５７に情報としてそれぞれ送信され、電力割当回路５７は、これらの送信されてきた情報に基づいて、蓄電池５１に蓄えられている蓄電量が求められるようになっている。
【００２４】
第１情報受信回路５２は、種々の運転状態情報を受信することが好ましい。本実施の形態においては、第１情報受信回路５２が受信する運転状態情報は、エレベータ装置１の使用電力情報と、エレベータ装置１が回生運転を行っているという情報と、行先階登録が行われていないという情報と、呼び登録が行われていないという情報と、を含んでいる。例えば、エレベータ装置１の使用電力情報は、エレベータ制御装置９を経由して巻上機６等の各機器に供給される総電力から得ることができ、エレベータ装置１が回生運転を行っているか否かは、エレベータ制御装置９が検出する乗りかご３が昇降中の巻上機６の消費電力から判断することからできる。また、例えば、行先階登録が行われているか否かは、乗りかご３に設けられた行先階ボタン１０からの情報により判断することができ、呼び登録が行われているか否かは、乗場８に設けられたかご呼びボタン１４からの情報により判断することができる。第１情報受信回路５２は、これらの情報をエレベータ制御装置９から常時受信し、受信された情報は、後述する電力割当回路５７に記憶される。
【００２５】
第２情報受信回路５３は、種々の運転状態情報を受信することが好ましい。本実施の形態においては、第２情報受信回路５３が受信する運転状態情報は、加圧ポンプ装置２０の使用電力情報と、水道水の圧力が所定の圧力値より大きいという情報と、加圧ポンプ装置２０の加圧ポンプ２１が起動状態を過ぎて安定運転状態にあるという情報と、を含んでいる。例えば、加圧ポンプ装置２０の使用電力情報は、ポンプ制御装置２３を経由して加圧ポンプ２１等に供給される総電力から得ることができ、水道水の圧力が所定の圧力値より大きいか否かは、加圧ポンプ装置２０の圧力検出器２２から得ることができ、加圧ポンプ２１が安定運転状態にあるか否かは、ポンプ制御装置２３が検出する加圧ポンプ２１の消費電力から判断することができる。第２情報受信回路５３は、これらの情報をポンプ制御装置２３から常時受信し、受信された情報は、後述する電力割当回路５７に記憶される。
【００２６】
第３情報受信回路５４は、種々の運転状態情報を受信することが好ましい。本実施の形態においては、第３情報受信回路５４が受信する運転状態情報は、照明装置３０の使用電力情報と、建物１００内の照度情報と、を含んでいる。例えば、照明装置３０の使用電力情報は、照明制御装置３３を経由して照明３１等に供給される総電力から得ることができ、建物１００内の照度情報は、照明装置３０の照度検出器３２から得ることができる。第３情報受信回路５４は、これらの情報を照明制御装置３３から常時受信し、受信された情報は、後述する電力割当回路５７に記憶される。
【００２７】
蓄電池５１から出力される電力は、電力割当回路５７（電力割当手段）によって、エレベータ装置１、加圧ポンプ装置２０および照明装置３０に割り当てられるようになっている。より具体的には、電力割当回路５７は、第１情報受信回路５２により受信されたエレベータ装置１の運転状態情報と、第２情報受信回路５３により受信された加圧ポンプ装置２０の運転状態情報と、第３情報受信回路５４により受信された照明装置３０の運転状態情報と、に基づいて、電力を割り当てる。この際、蓄電池５１の最大出力電力以下となるように、蓄電池５１から出力される電力を、エレベータ装置１、加圧ポンプ装置２０および照明装置３０にそれぞれ割り当てる。すなわち、エレベータ装置１に割り当てられる電力と、加圧ポンプ装置２０に割り当てられる電力と、照明装置３０に割り当てられる電力との合計が、蓄電池５１の最大出力電力以下となる。
【００２８】
上述したように、電力割当回路５７には、第１情報受信回路５２により受信されたエレベータ装置１の使用電力情報が記憶されている。同様にして、電力割当回路５７には、第２情報受信回路５３により受信された加圧ポンプ装置２０の使用電力情報が記憶され、第３情報受信回路５４により受信された照明装置３０の使用電力情報が記憶されている。このことにより、電力割当回路５７は、保存された各使用電力情報から、過去の所定期間にわたるエレベータ装置１の最大使用電力、加圧ポンプ２１の最大使用電力および照明装置３０の最大使用電力を求めることができるように構成されている。
【００２９】
電力割当回路５７は、上述のようにして求められたエレベータ装置１の最大使用電力が、蓄電池５１の最大出力電力以下である場合、エレベータ装置１にその最大使用電力に相当する（あるいは一致する）電力を割り当てることが好適である。すなわち、エレベータ装置１が加圧ポンプ装置２０および照明装置３０よりも優先順位が上位として、エレベータ装置１に優先的に電力が割り当てられるようにしてもよい。
【００３０】
また、電力割当回路５７は、エレベータ装置１にその最大使用電力に相当する電力が割り当てられている場合に、蓄電池５１の残りの出力電力を求め、求められた残りの出力電力が、加圧ポンプ装置２０の最大使用電力以上である場合、加圧ポンプ２１にその最大使用電力に相当する電力を割り当てるようにしてもよい。すなわち、エレベータ装置１、加圧ポンプ装置２０および照明装置３０に、この順に優先順位が定められるようにしてもよい。
【００３１】
電力割当回路５７が、エレベータ装置１の使用電力情報から得られる最大使用電力に相当する電力をエレベータ装置１に割り当て可能な場合、以下のようにエレベータ装置１に割り当てられる電力を調整してもよい。
【００３２】
例えば、第１情報受信回路５２が、エレベータ装置１が回生運転を行っているという情報を受信した場合、電力割当回路５７は、エレベータ装置１に割り当てる電力を、エレベータ装置１の最大使用電力より少なくしてもよい。この場合、エレベータ装置１は回生運転を行うため、巻上機６では電力が消費されることはなく、エレベータ装置１としての消費電力は力行運転時よりも少なくなる。このため、エレベータ装置１に割り当てられる電力は、その最大使用電力より少なくすることができる。
【００３３】
また、例えば、第１情報受信回路５２が、エレベータ装置１に行先階登録が行われていないという情報および呼び登録が行われていないという情報を受信した場合、電力割当回路５７は、エレベータ装置１に割り当てる電力を、エレベータ装置１の最大使用電力より少なくしてもよい。この場合、エレベータ装置１の乗りかご３は昇降せずに一の乗場８に着床して停止するため、当分の間、巻上機６が動作する予定はない。このため、エレベータ装置１に割り当てられる電力は、その最大使用電力より少なくすることができる。
【００３４】
電力割当回路５７が、加圧ポンプ装置２０の使用電力情報から得られる最大使用電力に相当する電力を加圧ポンプ装置２０に割り当て可能な場合、以下のように加圧ポンプ装置２０に割り当てられる電力を調整してもよい。
【００３５】
例えば、建物１００内の水道水の圧力が所定の圧力値より大きいという情報を受信した場合、電力割当回路５７は、加圧ポンプ装置２０に割り当てる電力を、加圧ポンプ装置２０の最大使用電力より少なくしてもよい。この場合、加圧ポンプ装置２０のうち多くの電力を消費し得る加圧ポンプ２１は、当分の間、動作する予定がない。このため、加圧ポンプ装置２０に割り当てられる電力は、その最大使用電力より少なくすることができる。
【００３６】
また、例えば、加圧ポンプ装置２０の加圧ポンプ２１が安定運転状態にあるという情報を受信した場合、電力割当回路５７は、加圧ポンプ装置２０に割り当てる電力を、加圧ポンプ装置２０の最大使用電力より少なくしてもよい。この場合、加圧ポンプ２１は、最も電力を消費し得る起動状態を過ぎて、起動状態よりも消費電力が少ない安定運転状態に移行しているため、加圧ポンプ２１の消費電力は少なくなる。このため、加圧ポンプ装置２０に割り当てられる電力は、その最大使用電力より少なくすることができる。
【００３７】
電力割当回路５７は、建物１００内の照度が所定の照度より高いという情報を受信した場合、照明装置３０に電力を割り当てなくてもよい。例えば天候の良い昼間等では、照明３１を点灯させない場合であっても十分な照度を確保できる可能性がある。このような場合には、照明装置３０に電力を供給することなく、他の装置１、２０に電力を供給することが好適である。とりわけ、電力割当回路５７が、照明装置３０の使用電力情報から得られる最大使用電力に相当する電力を照明装置３０に割当可能な場合にこのような割当方法を採用することは効果的である。
【００３８】
また、本実施の形態における蓄電池装置５０は、第１出力回路５８と、第２出力回路５９と、第３出力回路６０と、第１伝達回路６１と、第２伝達回路６２と、第３伝達回路６３と、を更に備えている。
【００３９】
第１出力回路５８（第１出力手段）は、蓄電池５１からエレベータ装置１に供給される電力を、電力割当回路５７により割り当てられた電力値に調整する。このことにより、蓄電池５１からエレベータ装置１に、電力割当回路５７により割り当てられた電力値に相当する電力が供給される。同様にして、第２出力回路５９（第２出力手段）は、蓄電池５１から加圧ポンプ装置２０に供給される電力を、電力割当回路５７により割り当てられた電力値に調整し、第３出力回路６０（第３出力手段）は、蓄電池５１から照明装置３０に供給される電力を、電力割当回路５７により割り当てられた電力値に調整する。このことにより、蓄電池５１から加圧ポンプ装置２０および照明装置３０に、電力割当回路５７により割り当てられた電力値に相当する電力が、それぞれ供給される。
【００４０】
第１伝達回路６１（第１伝達手段）は、電力割当回路５７により割り当てられたエレベータ装置１の電力値情報を、エレベータ制御装置９に伝達する。エレベータ制御装置９は、伝達された電力値情報に基づいて、必要に応じて異常検出方法を変更する。例えば、供給される電力が所定の値より低いことを異常として検出し、警報を発するような異常検出方法がエレベータ制御装置９に構築されている場合には、割り当てられた電力値が所定の値より低かったとしても、異常として検出されないように異常検出方法が変更される。
【００４１】
同様に、第２伝達回路６２（第２伝達手段）は、電力割当回路５７により割り当てられた加圧ポンプ装置２０の電力値情報を、ポンプ制御装置２３に伝達する。ポンプ制御装置２３は、エレベータ制御装置９と同様に、伝達された電力値情報に基づいて、必要に応じて異常検出方法を変更する。また、第３伝達回路６３（第３伝達手段）は、電力割当回路５７により割り当てられた照明装置３０の電力値情報を、照明制御装置３３に伝達する。照明制御装置３３は、エレベータ制御装置９と同様に、伝達された電力値情報に基づいて、必要に応じて異常検出方法を変更する。
【００４２】
次に、このような構成からなる本実施の形態の作用について説明する。ここでは、一例として、電力が蓄えられた蓄電池５１の最大出力電力を１０ｋWとし、エレベータ装置１、加圧ポンプ装置２０および照明装置３０に、この順に優先順位が定められている例について説明する。また、第１情報受信回路５２により受信されたエレベータ装置１の使用電力情報から得られる最大使用電力が、６ｋWであり、第２情報受信回路５３により受信された加圧ポンプ装置２０の使用電力情報から得られる最大使用電力が、５ｋWであり、第３情報受信回路５４により受信された照明装置３０の使用電力情報から得られる最大使用電力が、４ｋWである例について説明する。
【００４３】
この場合、エレベータ装置１の最大使用電力が、蓄電池５１の最大出力電力以下となる。このことにより、電力割当回路５７は、エレベータ装置１に、その最大使用電力に相当する電力（すなわち、６ｋW）を割り当てる。そして、蓄電池５１の残りの出力電力は、４ｋWとなる。蓄電池５１の残りの出力電力が、加圧ポンプ装置２０の最大使用電力より少なくなっている。このことにより、電力割当回路５７は、加圧ポンプ装置２０に、蓄電池５１の残りの出力電力４ｋWを割り当てる。なお、照明装置３０には電力が割り当てられない。
【００４４】
次に、第１出力回路５８は、蓄電池５１からエレベータ装置１に供給される電力を、６ｋWに調整し、第２出力回路５９は、蓄電池５１から加圧ポンプ装置２０に供給される電力を、４ｋWに調整する。第３出力回路６０は、蓄電池５１から照明装置３０に供給される電力を、０ｋWに調整する。このことにより、エレベータ装置１には６ｋWの電力が供給され、エレベータ装置１の安定した運転が可能になる。一方、加圧ポンプ装置２０には４ｋWの電力が供給される。加圧ポンプ装置２０に供給される電力が１ｋW分削減されているため、加圧ポンプ２１の運転能力が２０％程度抑制される。また、照明装置３０には電力が供給されないため、照明３１は点灯しない。このように、蓄電池５１の出力電力が限られている場合であっても、加圧ポンプ装置２０の運転能力を抑制し、照明装置３０を動作させないことによって、エレベータ装置１の安定した運転が可能となる。
【００４５】
また、第１伝達回路６１は、電力割当回路５７により割り当てられたエレベータ装置１の電力値情報を、エレベータ制御装置９に伝達し、第２伝達回路６２は、電力割当回路５７により割り当てられた加圧ポンプ装置２０の電力値情報を、ポンプ制御装置２３に伝達する。第３伝達回路６３は、電力割当回路５７により割り当てられた照明装置３０の電力値情報を、照明制御装置３３に伝達する。このことにより、ポンプ制御装置２３は、加圧ポンプ装置２０に供給される電力が１ｋW分削減されていることが異常として検出されることが防止されるとともに、照明装置３０に電力が供給されないことが異常として検出されることが防止される。
【００４６】
上述のようにして、各装置への電力が割り当てられている場合であっても、電力割当回路５７は、以下のように各装置への電力の割当を調整してもよい。
【００４７】
例えば、エレベータ装置１が回生運転を行っている場合には、エレベータ装置１に割り当てられる電力を、６ｋWよりも少ない電力、例えば３ｋWにしてもよい。この場合には、余剰の３ｋWの電力のうち１ｋWを加圧ポンプ装置２０に割り当てて、加圧ポンプ装置２０に割り当てられる電力を合計で５ｋWにしてもよい。このことにより、加圧ポンプ装置２０の安定した運転が可能になる。そして、残りの２ｋWを照明装置３０に割り当ててもよい。この場合、照明装置３０の照明３１が、建物１００内で分割された複数の系統によって構成されている場合には、一部の照明３１を点灯させることができる。また、照度を調整可能な照明３１であれば、小さい照度での点灯も可能になる。
【００４８】
また、例えば、エレベータ装置１に行先階登録が行われておらず、かつ呼び登録が行われていない場合にも、上述したように、エレベータ装置１に割り当てられる電力を削減して、削減により生じた余剰の電力を加圧ポンプ装置２０や照明装置３０に割り当ててもよい。
【００４９】
さらに、エレベータ装置１に割り当てられる電力が削減されることにより、加圧ポンプ装置２０の最大使用電力に相当する電力（５ｋW）を加圧ポンプ装置２０に割当可能な場合には、電力割当回路５７は、以下のように各装置への電力の割当を更に調整してもよい。
【００５０】
例えば、建物１００内の水道水の圧力が所定の圧力値より大きい場合には、加圧ポンプ装置２０に割り当てられる電力を、５ｋWよりも少ない電力、例えば３ｋWにしてもよい。この場合には、余剰の２ｋWを照明装置３０に割り当てて、照明装置３０に割り当てられる電力を合計で４ｋWにしてもよい。このことにより、照明装置３０の全照明３１を定格照度で点灯させることができる。
【００５１】
また、例えば、加圧ポンプ２１が安定運転状態にある場合にも、上述したように、加圧ポンプ装置２０に割り当てられる電力を削減して、削減により生じた余剰の電力を照明装置３０に割り当ててもよい。
【００５２】
なお、電力割当回路５７は、建物１００内の照度が所定の照度より高い場合（例えば天候の良い昼間等）には、照明装置３０に電力を割り当てないようにしてもよい。この場合には、優先順位に応じて、エレベータ装置１および加圧ポンプ装置２０により多くの電力を割り当てることが可能となる。
【００５３】
このように本実施の形態によれば、エレベータ装置１の運転状態情報と、加圧ポンプ装置２０の運転状態情報と、照明装置３０の運転状態情報と、に基づいて、蓄電池５１から出力される電力が、エレベータ装置１、加圧ポンプ装置２０および照明装置３０にそれぞれ割り当てられて、第１出力回路５８、第２出力回路５９および第３出力回路６０により、蓄電池５１から供給される電力がそれぞれ調整される。このことにより、蓄電池５１から出力される限られた電力を、各装置１、２０、３０の運転状態に応じて、蓄電池５１から各装置１、２０、３０へ供給される電力を適切に割り当てることができる。このため、蓄電池運転時においても、各装置１、２０、３０を効率的に運転することができる。
【００５４】
また、本実施の形態によれば、各装置１、２０、３０の運転状態に基づいて、各装置１、２０、３０に電力を適切に割り当てることができる。このことにより、各装置１、２０、３０の最大使用電力を単純に合計した総電力が、蓄電池５１の最大出力電力より多い場合であっても、各装置１、２０、３０の運転状態に応じて、適切に電力を割り当てることができ、各装置１、２０、３０を効率的に運転することができる。
【００５５】
また、本実施の形態によれば、蓄電池運転の対象として必要性が高いエレベータ装置１に、蓄電池運転時に蓄電池５１から電力を供給することができ、他の装置２０、３０にも、各装置１、２０、３０の動作状態に応じて、蓄電池５１から電力を適切に供給することができる。このことにより、重要度が高いエレベータ装置１の運転に支障が生じることを抑制しながら、各装置１、２０、３０を効率的に運転することができる。
【００５６】
なお、上述した本実施の形態においては、エレベータ装置１、加圧ポンプ装置２０および照明装置３０に、この順に優先順位が定められている例について説明した。しかしながら、このことに限られることはなく、各装置１、２０、３０の優先順位は、ユーザの意図に応じて任意とすることができる。
【００５７】
また、上述した本実施の形態においては、エレベータ装置１、加圧ポンプ装置２０および照明装置３０という３つの負荷に、蓄電池５１から出力される電力が割り当てられる例について説明した。しかしながら、このことに限られることはなく、蓄電池５１から出力される電力が割り当てられる負荷の数は、２つであってもよく、あるいは４つ以上であってもよい。
【００５８】
また、上述した本実施の形態においては、第２負荷として加圧ポンプ装置２０、第３負荷として照明装置３０を例にとって説明した。しかしながら、このことに限られることはなく、同一の建物１００に設置されて電力が消費される負荷であれば、加圧ポンプ装置２０、照明装置３０に限られることはない。また、加圧ポンプ装置２０、照明装置３０以外の装置に電力を割り当てる場合には、それぞれの装置の特性、運転方法に応じて、電力割当回路５７が割り当てる電力を調整する際の条件を設定することができる。
【００５９】
以上述べた実施の形態によれば、各負荷の運転状態に応じて、蓄電池５１から各負荷へ供給される電力を適切に割り当てることができ、各負荷を効率的に運転することができる。
【００６０】
本発明のいくつかの実施の形態を説明したが、これらの実施の形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施の形態やその変形は、発明の範囲や要旨に含まれるとともに、特許請求の範囲に記載された発明とその均等の範囲に含まれる。
【符号の説明】
【００６１】
１：エレベータ装置、９：エレベータ制御装置、２０：加圧ポンプ装置、３０：照明装置、５０：蓄電池装置、５１：蓄電池、５２：第１情報受信回路、５３：第２情報受信回路、５４：第３情報受信回路、５７：電力割当回路、５８：第１出力回路、５９：第２出力回路、６１：第１伝達回路、６２：第２伝達回路、１００：建物
【図１】
2016135083.tif 000003
【図２】
2016135083.tif 000004
【図３】
2016135083.tif 000005
【図４】
2016135083.tif 000006
【手続補正書】
【提出日】平成28年5月13日(2016.5.13)
【手続補正１】
【補正対象書類名】特許請求の範囲
【補正対象項目名】全文
【補正方法】変更
【補正の内容】
【特許請求の範囲】
【請求項１】
停電時または電力逼迫時に、建物に設置された第１負荷としてのエレベータ装置と、前記建物に設置された前記エレベータ装置とは異なる第２の負荷と、に電力を供給する蓄電池装置であって、
蓄えられた電力を前記第１負荷および前記第２負荷に供給可能な蓄電池と、
前記第１負荷の運転状態情報を受信する第１情報受信手段と、
前記第２負荷の運転状態情報を受信する第２情報受信手段と、
前記第１情報受信手段により受信された前記第１負荷の運転状態情報と、前記第２情報受信手段により受信された前記第２負荷の運転状態情報と、に基づいて、前記蓄電池から出力される電力を、前記第１負荷および前記第２負荷に割り当てる電力割当手段と、
前記蓄電池から前記第１負荷に供給可能な最大電力を、前記電力割当手段により割り当てられた電力値に調整する第１出力手段と、
前記蓄電池から前記第２負荷に供給可能な最大電力を、前記電力割当手段により割り当てられた電力値に調整する第２出力手段と、を備えたことを特徴とする蓄電池装置。
【請求項２】
前記第１情報受信手段により受信される前記第１負荷の運転状態情報は、前記エレベータ装置の使用電力情報を含み、
前記第１情報受信手段により受信された前記第１負荷の前記使用電力情報から得られる最大使用電力が前記蓄電池の最大出力電力以下である場合、前記電力割当手段は、前記第１負荷の最大使用電力に相当する電力を前記第１負荷に割り当てることを特徴とする請求項１に記載の蓄電池装置。
【請求項３】
前記第１情報受信手段が受信する前記第１負荷の前記運転状態情報は、前記エレベータ装置が回生運転を行っているという情報を更に含み、
前記電力割当手段により前記第１負荷の最大使用電力に相当する電力が前記第１負荷に割り当て可能な場合であって、前記第１情報受信手段が、前記エレベータ装置が回生運転を行っているという情報を受信した場合、前記電力割当手段は、前記第１負荷に割り当てる電力を、前記第１負荷の最大使用電力より少なくすることを特徴とする請求項２に記載の蓄電池装置。
【請求項４】
前記第１情報受信手段が受信する前記第１負荷の前記運転状態情報は、前記エレベータ装置に行先階登録が行われていないという情報と、呼び登録が行われていないという情報とを更に含み、
前記電力割当手段により前記第１負荷の最大使用電力に相当する電力が前記第１負荷に割り当て可能な場合であって、前記第１情報受信手段が、前記エレベータ装置に行先階登録が行われていないという情報および呼び登録が行われていないという情報を受信した場合、前記電力割当手段は、前記第１負荷に割り当てる電力を、前記第１負荷の最大使用電力より少なくすることを特徴とする請求項２に記載の蓄電池装置。
【請求項５】
前記第２情報受信手段により受信される前記第２負荷の運転状態情報は、前記第２負荷の使用電力情報を含み、
前記電力割当手段により前記第１負荷の最大使用電力に相当する電力が前記第１負荷に割り当て可能な場合であって、前記第２情報受信手段により受信された前記第２負荷の前記使用電力情報から得られる最大使用電力が、前記蓄電池の最大出力電力から前記第１負荷に割り当てられた電力を差し引いた残りの出力電力以下である場合、前記電力割当手段は、前記第２負荷の最大使用電力に相当する電力を前記第２負荷に割り当てることを特徴とする請求項２乃至４のいずれか一項に記載の蓄電池装置。
【請求項６】
前記第２負荷は、前記建物に設置された、前記建物内の水道水の圧力を高めるための加圧ポンプ装置であり、
前記第２情報受信手段が受信する前記第２負荷の前記運転状態情報は、前記水道水の圧力が所定の圧力値より大きいという情報を更に含み、
前記電力割当手段により前記第２負荷の前記使用電力情報から得られる最大使用電力に相当する電力を前記第２負荷に割り当て可能な場合であって、前記水道水の圧力が所定の圧力値より大きいという情報を受信した場合、前記電力割当手段は、前記第２負荷に割り当てる電力を、前記第２負荷の最大使用電力より少なくすることを特徴とする請求項５に記載の蓄電池装置。
【請求項７】
前記第２負荷は、前記建物に設置された、前記建物内の水道水を加圧する加圧ポンプ装置であり、
前記第２情報受信手段が受信する前記第２負荷の前記運転状態情報は、前記加圧ポンプ装置が起動状態を過ぎて安定運転状態にあるという情報を更に含み、
前記電力割当手段により前記第２負荷の前記使用電力情報から得られる最大使用電力が前記第２負荷に割り当て可能な場合であって、前記第２負荷が安定運転状態にあるという情報を受信した場合、前記電力割当手段は、前記第２負荷に割り当てる電力を、前記第２負荷の最大使用電力より少なくすることを特徴とする請求項５に記載の蓄電池装置。
【請求項８】
前記電力割当手段により割り当てられた前記第１負荷の電力値情報を前記第１負荷に伝達する第１伝達手段と、
前記電力割当手段により割り当てられた前記第２負荷の電力値情報を前記第２負荷に伝達する第２伝達手段と、を更に備えたことを特徴とする請求項１乃至７のいずれか一項に記載の蓄電池装置。